(57)【要約】【課題】ネジの嵌合不具合を予防し、ネジ締め不良を低減することができるとともに、自穿孔ネジの摩擦や穿孔に伴い発生する熱によるネジ及び作業対象物の加熱を抑制することで、作業効率の向上と作業者の安全性向上及び作業不良の低減を実現することができるスクリュードライバを提供すること。【解決手段】モータ１を有し、ギヤカバー６先端にネジ締め工具７を取り付けるスクリュードライバにおいて、ギヤカバー６及びインナカバー４、ロケイタ９、ロックスリーブ１０、サブストッパ１１にファン風を効果的に集約することができる風路を設け、ネジ締め工具７及びネジにファン風を吹き付ける。【選択図】図１
2006123147.tif 000002
【特許請求の範囲】
【請求項１】
モータを有し、ギヤカバー先端にネジ締め工具を取り付けるスクリュードライバにおいて、
ギヤカバー及びインナカバー、ロケイタ、ロックスリーブ、サブストッパにファン風を効果的に集約することができる風路を設け、ネジ締め用工具及びネジにファン風を吹き付けることを特徴とするスクリュードライバ。
【発明の詳細な説明】
【技術分野】
【０００１】
本発明は、ネジ締め工具及びネジに対する冷却及びブロワ機能を有するスクリュードライバに関するものである。
【背景技術】
【０００２】
図４に従来のスクリュードライバの構成の一例を示す。
【０００３】
従来のスクリュードライバでは、ファン１ａを有するモータ１、該モータ１を固定するハウジング２、モータ１の駆動を支える軸受３を固定するインナカバー４、モータ１の動力を減速するギヤ５と該ギヤ５を内包するギヤカバー６、モータ１からの動力により作業者が意図する作業を行うネジ締め工具７、該ネジ締め工具７を支持するネジ締め工具保持部８、ネジ締めの際にネジ頭の作業対象物表面からの深さを調整するためのロケイタ９、該ロケイタ９の調整位置を固定するロックスリーブ１０、ネジ締め工具７の種類や長さによる変化に対応するためロケイタ９の機能を支援するためのサブストッパ１１から構成されている。
【０００４】
図４に示す構成によれば、電力を入力されることでモータ１が回転し、ファン１ａがモータ１と共に回転することでファン風が発生される。ファン風はハウジング２とインナカバー４の係合部に設けられたラジアル方向の風窓１２及びインナカバー４とギヤカバー６に設けられたスラスト方向の穴により構成される風窓１３から排出され、モータ１の冷却を行っている。
【０００５】
又、ネジ締め工具７は、ネジ締め工具保持部８により支持され、モータ１からの回転力がギヤ５より伝達されることによって作業者が意図した作業を実現することができる。
【０００６】
【特許文献１】特開平９−０１１１５８号公報
【特許文献２】特開平５−３０９５４４号公報
【発明の開示】
【発明が解決しようとする課題】
【０００７】
上記従来のスクリュードライバでは、鉄板下地に自穿孔ネジの締め付けを行う場合、磁化されたネジ締め工具７に、ネジの穿孔時に発生した切粉がまとわり付き、ネジ締め工具７とネジの嵌合に支障を生じる不具合があった。この不具合は、スクリュードライバに推力を掛けてネジ締めを行う際に、ネジ倒れが発生したり、不完全な締め付けやネジ頭の破損を生じさせるため、作業対象物に傷を付けたり、ネジの除去ができなくなる等の不良を発生させる問題があった。
【０００８】
更に、自穿孔ネジは、作業対象物に先端に設けられた切刃が押し当てられ、且つ、高速で回転されることにより穿孔を行うため、摩擦や穿孔に伴い発生する熱によりネジ及び作業対象物共々高温に加熱される。ネジの取付時やネジ締め工具７の交換時には、作業効率の低下や作業者のやけどを誘引する原因となり得る上、作業対象物の熱変形や加熱によるネジの切刃の摩滅による穿孔不良が発生することにより、作業対象物の不良を発生させることがあった。
【０００９】
又、ネジ締め工具７が下方に向けられて作業される場合、ネジ締め工具７が作業対象物にネジ締めを行うと、対象物より発生した粉じんにより、作業対象に書かれた墨線が見えなくなったり、作業不良の際の作業対象物やネジの状態変化が確認されにくい等、作業上の的確な判断情報を作業者に伝えられない欠点があった。又、ネジ締め工具７が上方に向けられて作業される場合、ネジ締め工具７が作業対象物にネジ締めを行うと、作業対象物より発生した粉塵がネジ締め工具保持部８に降り掛かり、潤滑油の劣化による摩耗や動作不良が発生するという欠点があった。
【００１０】
本発明は上記従来の問題に鑑みてなされたもので、その目的とする処は、ネジ締め工具及びネジに対する冷却及びブロワ機能を有するスクリュードライバを提供することにある。
【課題を解決するための手段】
【００１１】
上記目的を達成するため、本発明は、モータを有し、ギヤカバー先端にネジ締め工具を取り付けるスクリュードライバにおいて、ギヤカバー及びインナカバー、ロケイタ、ロックスリーブ、サブストッパにファン風を効果的に集約することができる風路を設け、ネジ締め用工具及びネジにファン風を吹き付けることを特徴とする。
【発明の効果】
【００１２】
本発明によれば、磁化されたネジ締め工具に、自穿孔ネジの鉄板への穿孔時に発生した切粉がまとわり付くのを低減することでネジの嵌合不具合を予防し、ネジ締め不良を低減することができるとともに、自穿孔ネジの摩擦や穿孔に伴い発生する熱による、ネジ締め工具はもとより、ネジ及び作業対象物の加熱を抑制することで、作業効率の向上と作業者の安全性向上及び作業不良の低減を実現できる。
【００１３】
又、作業対象に書かれた墨線の確認や、作業不良の際の対象物や先端工具の状態変化等の作業上必要な判断情報を、粉塵に邪魔されることなく、的確に作業者に伝えることができるとともに、作業対象物より発生した粉塵がネジ締め工具保持部に降り掛かることにより発生する潤滑油の劣化に起因する摩耗や動作不良を防止することができる。
【発明を実施するための最良の形態】
【００１４】
以下に本発明の実施の形態を添付図面に基づいて説明する。
【００１５】
図１は本発明に係るスクリュードライバ要部の破断側面図、図２はインナカバーの正面図、図３はギヤカバーの正面図である。
【００１６】
図示のスクリュードライバは、ファン１ａを有するモータ１、該モータ１を固定するハウジング２、モータ１の駆動を支える軸受３を固定するインナカバー４、モータ１の動力を減速するギヤ５と該ギヤ５を内包するギヤカバー６、モータ１からの動力により作業者が意図する作業を行うネジ締め工具７、該ネジ締め工具７を支持するネジ締め工具保持部８、ネジ締めの際にネジ頭の作業対象物表面からの深さを調整するためのロケイタ９、該ロケイタ９の調整位置を固定するロックスリーブ１０、ネジ締め工具７の種類や長さによる変化に対応するためロケイタ９の機能を支援するためのサブストッパ１１から構成されている。
又、電力を入力されることでモータ１が回転し、ファン１ａがモータ１と共に回転することでファン風が発生される。
ここで、ファン風は、インナカバー３に設けられたスラスト方向の穴４ａを通り、ギヤカバー６に設けられた通風路６ａを通過することで集約され、通風路６ａから排出された風は、ギヤカバー６に設けられた溝６ｂと、ロケイタ９の内周と、ロックスリーブ１０の内周に沿い更に集約される。その後、サブストッパ１０の内周に沿ってネジ締め工具７の先端部に到達する際には、穴４ａにおける風速と比べて風速が向上している。
【００１７】
本実施の形態によれば、ファン風がネジ締め工具７の周囲に効果的に絞り込まれるため、ファン１ａ、穴４ａ、通風路６ａ、溝６ｂ、ロケイタ９の内径とロックスリーブ１０の内径及びサブストッパ１０の内径を、磁化されたネジ締め工具７の磁力を超えて粉塵を吹き飛ばすことに十分な風速と風量が得られるように設計することによって、磁化されたネジ締め工具７に、自穿孔ネジの鉄板への穿孔時に発生した切粉がまとわり付くことを低減でき、これによりネジの嵌合不具合を予防し、ネジ締め不良を低減することができる。
【００１８】
又、自穿孔ネジの摩擦や穿孔に伴い発生する熱による、ネジ締め工具７はもとより、ネジ及び作業対象物の加熱が、サブストッパ１１から排出される風が冷却風として機能することで、作業効率の向上と作業者の安全性向上及び作業不良の低減を実現できるとともに、作業対象に堆積した粉塵が吹き飛ばされることにより、作業対象に書かれた墨線の確認や、作業不良の際の対象物やネジの状態変化等の作業上必要な判断情報を、粉塵に邪魔されることなく、的確に作業者に伝えることができる。更に、作業対象物から発生する粉塵がネジ締め工具保持部８に降り掛かることを予防し、潤滑油の劣化による摩耗や動作不良を防止することが可能となる。
【００１９】
ここで、ファン風がサブストッパ１１の先端部の径まで集約されると、風路抵抗の増大により、モータ１の冷却に必要とされる十分な風量が得られなくなることが考えられるが、サブストッパ１１の先端部に到達する風に、ネジ締め工具７及びネジの冷却に必要な風量及び風速が確保され、且つ、自穿孔ネジの鉄板への穿孔時に発生した切粉がまとわり付かないようになる風量、風速が得られるよう、ファン１ａ、穴４ａ、通風路６ａ、溝６ｂ、ロケイタ９の内径、ロックスリーブ１０の内径及びサブストッパ１１の内径を設計すれば、ファン１ａから排出される風の一部がサブストッパ１１の先端を介することなく別の部位から排出されるようにしても良い。
【００２０】
又、本実施の形態によれば、インナカバー４、ギヤカバー６の材質が金属材料により構成されている場合、モータ１から発生する風損に由来する熱や、高速に回転する軸受３や動力の伝達を行うギヤ５の歯車の噛合せで発生する摩擦熱によるインナカバー４、ギヤカバー６の加熱が、穴４ａ及び通風路６ａを冷却風が通過することにより抑制されるため、熱伝導率の高さ故にインナカバー４、ギヤカバー６が作業者の肌に触れて熱く感じさせることを防止することができる。このことは、作業者の注意力を作業対象から一時的にそらせることを防止し、ネジ締め作業不良の誘発を防止する効果も得られることとなる。
【図面の簡単な説明】
【００２１】
【図１】本発明に係るスクリュードライバ要部の破断側面図である。
【図２】本発明に係るスクリュードライバのインナカバーの正面図である。
【図３】本発明に係るスクリュードライバのギヤカバーの正面図である。
【図４】従来のスクリュードライバ要部の破断側面図である。
【符号の説明】
【００２２】
１      モータ
１ａ    ファン
２      ハウジング
３      軸受
４      インナカバー
４ａ    穴
５      ギヤ
６      ギヤカバー
６ａ    通風路
６ｂ    溝
７      ネジ締め工具
８      ネジ締め工具保持部
９      ロケイタ
１０    ロックスリーブ
１１    サブストッパ
１２    風窓
１３    風窓
【図１】
2006123147.tif 000003
【図２】
2006123147.tif 000004
【図３】
2006123147.tif 000005
【図４】
2006123147.tif 000006